(57)【要約】【課題】本発明は、起動時に大容量負荷への電源電力の供給を制御して、ブレーカが落ちるのを防止する。【解決手段】画像形成装置１は、その電源制御部１０５が、電源部１０２が、外部電源電力Ｐｇから必要な内部電源電力を生成して定着ヒータ３０ｃや制御部１０３等へ供給し、電源供給制御部１１８が、定着ヒータ３０ｃへの定着電力Ｐｈの供給を制御する。ＣＰＵ１４１のヒータ制御モジュール１４２は、電源部１０２が内部電源電力の供給を開始すると、電源電圧検出部１１４の検出する電圧値Ｖｇが閾値電圧以下であるか判定し、該電圧値Ｖｇが閾値電圧以下であると、電源供給制御部１１８に、定着ヒータ３０ｃへの定着電力Ｐｈの供給を遮断または供給電力量を低く制限させる。【選択図】          図１
2015132922.tif 000002
【特許請求の範囲】
【請求項１】
大容量電力を消費する大容量負荷を有する装置へ、外部から取り込んだ外部電源電力から必要な内部電源電力を生成して供給する電源手段と、
前記内部電源電力の前記大容量負荷への供給を制御する電力供給制御手段と、
前記外部電源電力の電圧値を検出する電圧検出手段と、
前記電源手段が前記内部電源電力の供給を開始すると、前記電圧検出手段の検出する前記電圧値が所定の設定電圧範囲内であるか判定し、該電圧値が該設定電圧範囲から外れると、前記電力供給制御手段に、前記大容量負荷への該内部電源電力の供給を遮断または供給電力量を低く制限させる電力制御手段と、
を備えていることを特徴とする電源制御装置。
【請求項２】
前記外部電源電力は、
交流電源電力であり、
前記電圧検出手段は、
前記交流電源電力の実効電圧値を前記電圧値として検出することを特徴とする請求項１記載の電源制御装置。
【請求項３】
前記電源制御装置は、
前記電源手段による前記内部電源電力の供給状態から供給遮断状態となった電源遮断要因が通常電源遮断要因であるか、異常電源遮断要因であるかを検出する遮断要因検出手段と、
前記遮断要因検出手段が前回の電源供給遮断時に検出した前記電源遮断要因を記憶する遮断要因記憶手段と、
を、さらに備え、
前記電力制御手段は、
前記遮断要因記憶手段の記憶する前回の前記電源遮断要因が前記異常電源遮断要因であるときにのみ、前記電圧検出手段の検出する前記電圧値に基づく前記内部電源電力の供給遮断または供給電力量の制限を実施することを特徴とする請求項１または請求項２記載の電源制御装置。
【請求項４】
前記電源制御装置は、
待ち時間を記憶する待ち時間記憶手段と、
前記待ち時間を計時する計時手段と、
を、さらに備え、
前記電力制御手段は、
前記電源手段が前記内部電源電力の供給を開始すると、前記計時手段に前記待ち時間を計時させて、該時計手段が該待ち時間を計時すると、前記電圧検出手段の検出する前記電圧値に基づく前記内部電源電力の供給遮断または供給電力量の制限を開始することを特徴とする請求項１から請求項３のいずれかに記載の電源制御装置。
【請求項５】
前記電源制御装置は、
前記時間記憶手段の記憶する前記待ち時間を設定する設定手段を、さらに備えていることを特徴とする請求項４記載の電源制御装置。
【請求項６】
被記録媒体に転写した現像剤像を、電源制御部から大容量電力が供給されることで発熱する発熱手段を有する定着部で、該被記録媒体に定着させて画像形成する画像形成装置であって、
前記電源制御部として、請求項１から請求項５のいずれかに記載の電源制御装置を備えていることを特徴とする画像形成装置。
【請求項７】
大容量電力を消費する大容量負荷を有する装置へ、外部から取り込んだ外部電源電力から必要な内部電源電力を生成して供給する電源処理ステップと、
前記内部電源電力の前記大容量負荷への供給を制御する電力供給制御処理ステップと、
前記外部電源電力の電圧値を検出する電圧検出処理ステップと、
前記電源処理ステップによって前記内部電源電力の供給を開始すると、前記電圧検出処理ステップで検出される前記電圧値が所定の設定電圧範囲内であるか判定し、該電圧値が該設定電圧範囲から外れると、前記電力供給制御処理ステップで、前記大容量負荷への該内部電源電力の供給を遮断または供給電力量を低く制限させる電力制御処理ステップと、
を有していることを特徴とする電源制御方法。
【請求項８】
制御プロセッサに、
大容量電力を消費する大容量負荷を有する装置へ、外部から取り込んだ外部電源電力から必要な内部電源電力を生成して供給する電源処理と、
前記内部電源電力の前記大容量負荷への供給を制御する電力供給制御処理と、
前記外部電源電力の電圧値を検出する電圧検出処理と、
前記電源処理によって前記内部電源電力の供給を開始すると、前記電圧検出処理で検出される前記電圧値が所定の設定電圧範囲内であるか判定し、該電圧値が該設定電圧範囲から外れると、前記電力供給制御処理で、前記大容量負荷への該内部電源電力の供給を遮断または供給電力量を低く制限させる電力制御処理と、
を実行させることを特徴とする電源制御プログラム。
【発明の詳細な説明】
【技術分野】
【０００１】
本発明は、電源制御装置、画像形成装置、電源制御方法及び電源制御プログラムに関し、詳細には、大容量負荷への電源電力の供給を制御する電源制御装置、画像形成装置、電源制御方法及び電源制御プログラムに関する。
【背景技術】
【０００２】
一般的に、ファクシミリ装置、プリンタ装置、複合装置等の画像形成装置やコンピュータ等の電気機器は、屋内に設置されている。これらの電気機器は、屋外からブレーカを介して引き込まれた屋内電源配線のコンセントに、電源ケーブルの電源プラグが差し込まれることで、該屋内電源配線を流れる外部電源電力を取り込んで、稼働する。
【０００３】
このような屋内電源配線で供給される外部電源電力は、該屋内電源配線に接続れている電気機器の数、動作状態、電源の投入及び停止等によって電圧変動が発生し、また、国や地域によっては、屋外から供給される外部電源電力自体の電圧変動がある。
【０００４】
電気機器は、使用電力が多いと、屋内電源配線の外部電源電力の電圧状態によっては、ブレーカが落ちて、屋内電源配線に接続されている全ての電気機器が異常停止することとなる。
【０００５】
特に、用紙上に転写したトナー画像（現像剤画像）を、定着部で加熱・加圧して定着させる電子写真方式の画像形成装置においては、定着部への通電に大容量電力を必要とし、ブレーカを落としてしまう原因となりうる。
【０００６】
そして、従来、画像を形成する画像形成装置であって、前記画像の形成に用いられる負荷手段と、前記負荷手段に商用電源からの電力を供給する電力供給手段と、前記画像形成装置の起動が正常に行われたか否かを示すデータを保持する保持手段と、前記保持手段に前記画像形成装置の起動が正常に行われたことを示すデータが保持されている場合、電力の立上モードとして第１モードを選択し、前記画像形成装置の起動が正常に行われたことを示すデータが保持されていない場合、電力の立上モードとして前記第１モードに比べて緩やかに電力を増加させる第２モードを選択するモード選択手段と、前記モード選択手段により選択されるモードに従って、前記負荷手段に供給する電力を制御する電力制御手段と、を有する画像形成装置が提案されている（特許文献１参照）。また、この特許文献では、更に、前記商用電源の電圧値を検出する電圧値検出手段を備え、前記電力制御手段は、前記第２モードに従って前記負荷手段に電力を供給する際、前記電圧値検出手段により検出される電圧値が高いほど前記負荷手段に供給される電力を大きくする画像形成装置が提案されている。
【０００７】
すなわち、この従来技術は、起動時に、過去の起動が正常であったか否かに応じて、電力増加を制御し、また、緩やかに電力増加を行う第２モードで起動する場合に、商用電源の電圧値が高いほど電力供給を大きくしている。
【発明の概要】
【発明が解決しようとする課題】
【０００８】
しかしながら、上記公報記載の従来技術にあっては、供給電力の増加量を制御しているのみであるため、外部電源電力の電圧によっては、ブレーカが落ちるおそれがある。例えば、同じ屋内電源配線に接続されている複数台の電気機器が、停電からの復帰や落ちたブレーカの回復等によって一斉に起動すると、大電力が一斉に消費されることとなり、使用電力を緩やかに増加させるだけでは、ブレーカが落ちるおそれがある。
【０００９】
そこで、本発明は、大容量負荷における電力消費による外部電源電力の電圧変動を設定範囲内に確実に抑制することを目的としている。
【課題を解決するための手段】
【００１０】
上記目的を達成するために、請求項１記載の電源制御装置は、大容量電力を消費する大容量負荷を有する装置へ、外部から取り込んだ外部電源電力から必要な内部電源電力を生成して供給する電源手段と、前記内部電源電力の前記大容量負荷への供給を制御する電力供給制御手段と、前記外部電源電力の電圧値を検出する電圧検出手段と、前記電源手段が前記内部電源電力の供給を開始すると、前記電圧検出手段の検出する前記電圧値が所定の設定電圧範囲内であるか判定し、該電圧値が該設定電圧範囲から外れると、前記電力供給制御手段に、前記大容量負荷への該内部電源電力の供給を遮断または供給電力量を低く制限させる電力制御手段と、を備えていることを特徴としている。
【発明の効果】
【００１１】
本発明によれば、大容量負荷における電力消費による外部電源電力の電圧変動を設定範囲内に確実に抑制することができる。
【図面の簡単な説明】
【００１２】
【図１】本発明の第１実施例を適用した画像形成装置の概略構成図。
【図２】画像形成装置の回路構成図。
【図３】電源電圧検出部の回路構成図。
【図４】起動時のヒータ通電制御処理を示すフローチャート。
【図５】通常動作時のヒータ通電制御処理を示すフローチャート。
【図６】第２実施例の画像形成装置の回路構成図。
【図７】第２実施例の起動時のヒータ通電制御処理を示すフローチャート。
【図８】第３実施例の画像形成装置の回路構成図。
【図９】第３実施例の起動時のヒータ通電制御処理を示すフローチャート。
【図１０】省電力モードを有する起動時のヒータ通電制御処理を示すフローチャート。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図５は、本発明の電源制御装置、画像形成装置、電源制御方法及び電源制御プログラムの第１実施例を示す図であり、図１は、本発明の電源制御装置、画像形成装置、電源制御方法及び電源制御プログラムの第１実施例を適用した画像形成装置１の概略構成図である。
【００１５】
図１において、画像形成装置１は、本体筐体２内に、給紙部１０、搬送部２０、プリンタ部４０等が収納され、本体筐体２の上部に、排紙トレイ３設けられている。
【００１６】
給紙部１０は、給紙トレイ１１、給紙ローラ１２及び図示しない分離パッド等を備えており、給紙トレイ１１内には、複数枚の用紙（被記録媒体）Ｐが収納される。給紙部１０は、給紙トレイ１１内の用紙Ｐを給紙ローラ１２と分離パッドで１枚ずつ分離して、搬送部２０に送り出す。
【００１７】
搬送部２０は、順方向搬送路２１、両面搬送路２２、レジストローラ２３、２次転写ローラ２４、排紙ローラ２５、両面ローラ２６、レジストセンサ２７、排紙センサ２８、両面センサ２９、定着部３０及び図示しない複数の搬送ローラ等を備えている。搬送部２０は、給紙部１０から送り出されてきた用紙Ｐを、順方向搬送路２１上をレジストローラ２３へ搬送し、レジストローラ２３へ搬送される用紙Ｐを、レジストセンサ２７が検出する。画像形成装置１は、レジストローラ２３で用紙Ｐの搬送を一時停止させた後、レジストセンサ２７による用紙Ｐの検出結果とプリンタ部４０でのトナー画像形成状況に基づいて、レジストローラ２３の駆動を制御し、用紙Ｐをプリンタ部４０によって形成されたトナー画像とのタイミングを調整して、２次転写ローラ２４へ搬送する。搬送部２０は、２次転写ローラ２４によって、後述するように、プリンタ部４０で形成されたカラートナー画像をレジストローラ２３から搬送されてきた用紙Ｐ上に転写させつつ、用紙Ｐを定着部３０に搬送する。
【００１８】
定着部３０は、定着ローラ３０ａと加圧ローラ３０ｂを備えていて、定着ローラ３０ａと加圧ローラ３０ｂとの間に用紙Ｐを挟んで用紙Ｐを搬送しつつ加熱・加圧し、用紙Ｐ上のトナー画像を用紙Ｐに定着させて、定着の完了した用紙Ｐを排紙ローラ２５に搬送する。
【００１９】
搬送部２０は、排紙ローラ２５に搬送される用紙Ｐを排紙センサ２８が検出し、該用紙Ｐが両面画像形成を行う場合であって片面への画像形成の完了した用紙Ｐであると、排紙ローラ２５を適宜のタイミングに反転させて、両面搬送路２２に送り込む。搬送部２０は、用紙Ｐを両面搬送路２２に送り込むと、両面ローラ２６によって用紙Ｐの搬送を行い、この両面搬送路２２上を搬送される用紙Ｐを両面センサ２９が検出する。搬送部２０は、両面搬送路２２に送り込んだ用紙を両面搬送路２２からレジストローラ２３へ再度搬送し、上記同様に、用紙Ｐの裏面に画像形成して、定着部３０で定着させた後、排紙ローラ２５によって排紙トレイ３上に排出する。
【００２０】
プリンタ部４０は、中間転写ユニット４１、Ｃ（シアン）、Ｍ（マゼンタ）、Ｙ（イエロー）、Ｋ（ブラック）の各色用のプロセスカートリッジ４２Ｃ、４２Ｍ、４２Ｙ、４２Ｋ、露光部４３、キャリブレーション用センサ４４、排トナーボックス４５等を備えている。中間転写ユニット４１は、中間転写ベルト５１、２次転写駆動ローラ５２、テンションローラ５３及びＣＭＹＫ各色用の転写ローラ５４Ｙ、５４Ｍ、５４Ｃ、５４Ｋ等を備えている。中間転写ユニット４１は、無端帯状でリング状に形成されている中間転写ベルト５１が、略水平方向に張り渡された２次転写駆動ローラ５２とテンションローラ５３とに張り渡されている。２次転写駆動ローラ５２は、中間転写ベルト５１を挟んで２次転写ローラ２４に当接する状態で配設されている。
【００２１】
プリンタ部４０は、中間転写ベルト５１に沿ってＣＭＹＫの各プロセスカートリッジ４２Ｙ、４２Ｍ、４２Ｃ、４２Ｋが配設されている。各プロセスカートリッジ４２Ｙ、４２Ｍ、４２Ｃ、４２Ｋは、図１において時計方向に回転駆動される感光体６１Ｙ、６１Ｍ、６１Ｃ、６１Ｋを中心に、帯電ローラ６２Ｙ、６２Ｍ、６２Ｃ、６２Ｋ、現像／トナー収納部６３Ｙ、６３Ｍ、６３Ｃ、６３Ｋ及びクリーニング部６４Ｙ、６４Ｍ、６４Ｃ、６４Ｋ等が配設された状態で図示しないカートリッジケース内に収納されている。各プロセスカートリッジ４２Ｙ、４２Ｍ、４２Ｃ、４２Ｋは、その感光体６１Ｙ、６１Ｍ、６１Ｃ、６１Ｋが上記中間転写ベルト５１を挟んで、各色用の転写ローラ５４Ｙ、５４Ｍ、５４Ｃ、５４Ｋと対向して接触する状態で、本体筐体２内に収納されて装着される。プリンタ部４０は、各プロセスカートリッジ４２Ｙ、４２Ｍ、４２Ｃ、４２Ｋの感光体６１Ｙ、６１Ｍ、６１Ｃ、６１Ｋと転写ローラ５４Ｙ、５４Ｍ、５４Ｃ、５４Ｋとの間を中間転写ベルト５１が搬送される。
【００２２】
露光部４３は、図示しないが、ポリゴンモータ、ポリゴンミラー、Ｆθレンズ、レーザダイオード及びミラー等を備えている。露光部４３は、各色の画像データに基づいて変調した各色のプロセスカートリッジ４２Ｙ、４２Ｍ、４２Ｃ、４２Ｋ用の書込光をレーザダイオードからポリゴンモータにより回転駆動るポリゴンミラー出射させる。露光部４３は、この書込光を、ポリゴンミラーによって主走査方向に偏向させて、ｆθレンズやミラー等を経由させて、図１に破線矢印で示すように、各プロセスカートリッジ４２Ｙ、４２Ｍ、４２Ｃ、４２Ｋの帯電ローラ６２Ｙ、６２Ｍ、６２Ｃ、６２Ｋによって一様に帯電されている感光体６１Ｙ、６１Ｃ、６１Ｍ、６１Ｋに照射し、各色の感光体６１Ｙ、６１Ｃ、６１Ｍ、６１Ｋ上に静電潜像を形成する。
【００２３】
プリンタ部４０は、静電潜像の形成された感光体６１Ｙ、６１Ｃ、６１Ｍ、６１Ｋを時計方向に回転させつつ、現像／トナー収納部６３Ｙ、６３Ｍ、６３Ｃ、６３Ｋによって各色のトナーを感光体６１Ｙ、６１Ｃ、６１Ｍ、６１Ｋ上に供給して静電潜像を現像する。プリンタ部４０は、各色のトナー画像の形成された感光体６１Ｙ、６１Ｃ、６１Ｍ、６１Ｋに転写ローラ５４Ｙ、５４Ｍ、５４Ｃ、５４Ｋによって中間転写ベルト５１上に順次重ね合わせて転写し、カラーのトナー画像を形成する。プリンタ部４０は、トナー画像の転写の完了した各感光体６１Ｙ、６１Ｃ、６１Ｍ、６１Ｋをさらに回転させてクリーニング部６４Ｙ、６４Ｍ、６４Ｃ、６４Ｋで残留トナーを除去した後、再度、帯電ローラ６２Ｙ、６２Ｍ、６２Ｃ、６２Ｋで帯電させて、画像形成に供する。
【００２４】
中間転写ベルト５１は、２次転写駆動ローラ５２によって反時計方向に回転駆動され、２次転写駆動ローラ５２部分で、２次転写ローラ２４との間にレジストローラ２３から搬送されてきた用紙Ｐにトナー画像を転写する。
【００２５】
なお、プリンタ部４０は、ブラックのみの印刷の場合には、ブラック用の転写ローラ５４Ｋ以外の転写ローラ５４Ｙ、５４Ｍ、５４Ｃについては、それぞれ感光体６１Ｙ、６１Ｍ、６１Ｃから離間した位置に退避させて、画像形成する。
【００２６】
また、プリンタ部４０は、所定の色ずれ補正処理や濃度調整処理等のキャリブレーション処理を行うために、中間転写ベルト５１上にパターン画像を形成し、このパターン画像をキャリブレーション用センサ４４で検出する。キャリブレーション用センサ４４は、例えば、反射型光センサが用いられており、プロセスカートリッジ４２Ｙ、４２Ｍ、４２Ｃ、４２Ｋによって中間転写ベルト５１上に形成されたパターン画像の位置及び濃度を検出する。
【００２７】
そして、画像形成装置１は、その電源系統が、図２に示すように回路構成されている。すなわち、画像形成装置１は、ロッカースイッチ１０１、電源部１０２、制御部１０３及び定着ヒータ３０ｃ等を備えており、外部電源電力Ｐｇが、インレット１０４を介してロッカースイッチ１０１に供給される。
【００２８】
インレット１０４は、図示しない電源ケーブルが接続されており、電源ケーブルは、その先端に電源プラグが接続されている。電源プラグは、外部電源電力Ｐｇの屋内電源配線に設けられているコンセントに挿入されることで、該外部電源電力Ｐｇを電源ケーブル、インレット１０４を通して画像形成装置１内に導入する。
【００２９】
外部電源電力Ｐｇは、例えば、ＡＣ（交流）１００Ｖの商用電源電力が、屋外からブレーカを介して引き込まれた屋内電源配線に供給される電力であり、ブレーカは、予め設定されている許容範囲を超えた使用電力量が発生すると、落ちるようになっている。
【００３０】
ロッカースイッチ１０１は、インレット１０４と電源部１０２の間に配設されており、ユーザ等によってＯＮ／ＯＦＦ操作されることで、インレット１０４から供給される外部電源電力Ｐｇの電源部１０２への供給／供給遮断を行う。
【００３１】
電源部（電源手段）１０２は、ロッカースイッチ１０１から供給される外部電源電力Ｐｇから内部電源電力を生成して、画像形成装置１が備えている制御部１０３等の各部及び定着ヒータ３０ｃ等の負荷へ供給する。特に、電源部１０２は、外部電源電力Ｐｇから制御部１０３へ供給する２種類のＤＣ（直流）電源電力（２４Ｖ、５Ｖ）の生成と、大容量負荷である定着ヒータ３０ｃへ供給するＡＣ（交流）の定着電力Ｐｈの生成を行う。電源部１０２は、さらに、制御部１０３の制御下で、定着ヒータ３０ｃへの定着電力Ｐｈの供給／供給遮断及び定着電力Ｐｈの電力量の制御（通電制御）を行う。
【００３２】
そこで、電源部１０２は、フューズ１１１、ノイズフィルタ１１２、ＤＣ電源部１１３、電源電圧検出部１１４、インシュレータ１１５、リレー１１６及び通電制御部１１７等を備えている。
【００３３】
フューズ１１１は、ロッカースイッチ１０１とノイズフィルタ１１２の間に接続され、ロッカースイッチ１０１から供給される外部電源電力Ｐｇが過電流のときに、ＯＦＦ動作して、外部電源電力Ｐｇの電源部１０２への供給を遮断する。
【００３４】
ノイズフィルタ１１２は、外部電源電力Ｐｇに含まれているノイズを除去して、ノイズ除去後の外部電源電力Ｐｇを、ＤＣ電源部１１３、電源電圧検出部１１４、リレー１１６及び通電制御部１１７へ出力する。
【００３５】
ＤＣ電源部１１３は、ダイオードブリッジ１２１、コンデンサ１２２、ＦＥＴ（Field Effect Transistor ）１２３、ＩＣ（Integrated Circuit）１２４、トランス１２５等を備えている。ＤＣ電源部１１３は、外部電源電力Ｐｇから２種類のＤＣ電圧（２４Ｖ、５Ｖ）のＤＣ電源電力を生成して、制御部１０３へ出力する。
【００３６】
すなわち、ダイオードブリッジ１２１は、ノイズフィルタ１１２から供給されるＡＣ（正弦波）の外部電源電力Ｐｇを平滑化して、コンデンサ１２２及びトランス１２５へ出力する。コンデンサ１２２は、アルミ電解コンデンサが用いられており、ＦＥＴ１２３は、トランス１２５の一次側巻線であって、トランス１２５の出力するＤＣ電源電力を２種類に分割する位置に接続されている。ＩＣ１２４は、トランス１２５の一次巻線に接続されているとともに、ＦＥＴ１２３に接続されており、トランス１２５の一次巻線の電圧に応じて、ＦＥＴ１２３をＯＮ／ＯＦＦする。ＦＥＴ１２３は、ＩＣ１２４によってＯＮ／ＯＦＦされることで、２種類のＤＣ電圧（２４Ｖ、５Ｖ）のＤＣ電源電力をトランス１２５に生成させて、制御部１０３へ出力させる。
【００３７】
電源電圧検出部（電圧検出手段）１１４は、分圧抵抗１３１及びＰＬＣ（programmable logic controller）１３２等を備えており、ノイズフィルタ１１２を通過した外部電源電力Ｐｇの電源電圧を検出して、インシュレータ１１５に出力する。電源電圧検出部１１４は、例えば、図３に示すように、分圧抵抗１３１が、分圧抵抗Ｒ１と分圧抵抗Ｒ２を備え、ＰＬＣ１３２が、ＡＤＣ（analog to digital converter）１３２ａと実効値演算部１３２ｂを備えている。
【００３８】
分圧抵抗１３１は、その分圧抵抗Ｒ１と分圧抵抗Ｒ２の両端が、ノイズフィルタ１１２の下流側の外部電源電力Ｐｇに接続されており、分圧抵抗Ｒ２には、バイアス電圧Ｖｃｃが印加されている。分圧抵抗１３１は、外部電源電力Ｐｇを、分圧抵抗Ｒ１と分圧抵抗Ｒ２によって分圧するとともに、バイアス電圧Ｖｃｃでバイアスした分圧電圧（片振幅電圧）を有する正弦波の分圧電源電力を、ＰＬＣ１３２に出力する。
【００３９】
例えば、いま、バイアス電圧Ｖｃｃが、１．６５Ｖ、分圧抵抗Ｒ１が、１ＭΩ、分圧抵抗Ｒ２が、３．３ＫΩであるとする。この場合、分圧抵抗１３１は、外部電源電力ＰｇがＡＣ１００Ｖ（ピーク電圧Ｖｐが±１４１V の正弦波）であると、次式（１）で示す分圧電圧Ｖｂの正弦波の分圧電源電力を、ＰＬＣ１３２へ出力する。
【００４０】
Ｖｂ＝Ｖｐ×Ｒ２／（Ｒ１＋Ｒ２）…（１）
したがって、分圧抵抗１３１は、Ｖｐ＝±１４１、Ｒ１＝１ＭΩ、Ｒ２＝３．３ＫΩを式（１）に代入すると、Ｖｂ＝１４１×３３００／（１００００００+３３００）≒０．４６Ｖとなる。その結果、分圧抵抗１３１は、バイアス電圧Ｖｃｃによる中央値が、１．６５Ｖであって、該中央値に対する分圧電圧（片振幅電圧）Ｖｂが、０．４６Ｖの正弦波の分圧電源電力ＰｂをＰＬＣ１３２へ出力する。
【００４１】
また、分圧抵抗１３１は、例えば、外部電源電力Ｐｇのピーク電圧が、ＡＣ８０Ｖまで低下すると、式（１）から、中央値が、１．６５Ｖ、分圧電圧（片振幅電圧）Ｖｂが、０．３７Ｖの正弦波の分圧電源電力ＰｂをＰＬＣ１３２へ出力する。
【００４２】
ＰＬＣ１３２は、分圧抵抗１３１から入力される分圧電圧Ｖｂを、ＡＤＣ１３２ａがデジタル変換して、実効値演算部１３２ｂへ出力する。実効値演算部１３２ｂは、デジタル変換された分圧電圧Ｖｂの実効電圧を求めて、検出電圧Ｖｇとしてインシュレータ１１５へ出力する。実効値演算部１３２ｂは、実効電圧である検出電圧Ｖｇを、例えば、デジタルの分圧電圧Ｖｂを一定期間サンプリングしたサンプリングデータの平方和を求め、該平方根を該サンプリング期間内のサンプル数で割った後、平方根を求めることで算出する。
【００４３】
インシュレータ１１５は、電源電圧検出部１１４と制御部１０３とを電気的に絶縁した状態で、信号の授受を行う。インシュレータ１１５は、例えば、フォトカプラが用いられており、電源電圧検出部１１４から入力される検出電圧Ｖｇを、定期的にＰＷＭ（Pulse Wide Modulation ）の信号として制御部１０３へ出力する。また、インシュレータ１１５は、電源電圧検出部１１４と制御部１０３とを電気的に絶縁した状態で、後述する制御部１０３からのヒータ制御信号Ｓｈをリレー１１６及び通電制御部１１７へ出力する。
【００４４】
なお、インシュレータ１１５は、フォトカプラに限るものではなく、電源電圧検出部１１４と制御部１０３とを電気的に絶縁した状態で、電源電圧検出部１１からの検出電圧Ｖｇを制御部１０３へ出力するシリアルインターフェイス等であってもよい。図３では、インシュレータ１１５がＰＷＭ信号として検出電圧Ｖｇを制御部１０３へ出力する場合が記載されている。
【００４５】
リレー１１６及び通電制御部１１７は、制御部１０３からのヒータ制御信号Ｓｈに応じて、外部電源電力Ｐｇの定着ヒータ３０ｃへの供給／供給遮断及び通電制御を行う電力供給制御部（電力供給制御手段）１１８として機能している。すなわち、リレー１１６及び通電制御部１１７は、ノイズフィルタ１１２と定着ヒータ３０ｃとの間に接続されており、制御部１０３からインシュレータ１１５を介してヒータ制御信号Ｓｈが入力される。
【００４６】
リレー１１６は、ヒータ制御信号Ｓｈに基づいて、ＯＮ／ＯＦＦ動作することで、ノイズフィルタ１１２を通過した外部電源電力Ｐｇの定着ヒータ３０ｃへの定着電力Ｐｈとしての供給／供給遮断を行う。
【００４７】
通電制御部１１７は、例えば、トライアック等が用いられており、制御部１０３からのヒータ制御信号Ｓｈに基づいて、外部電源電力Ｐｇから定着ヒータ３０ｃへ通電する定着電力Ｐｈの電力量を制御する通電制御を行う。
【００４８】
定着ヒータ３０ｃは、定着部３０の定着ローラ３０ａに内蔵または近接して配設されている。定着ヒータ３０ｃは、例えば、ハロゲンヒータ、金属抵抗体、セラミックヒータ等が用いられており、通電されることで、発熱して、定着ローら３０ａを加熱する。定着ヒータ３０ｃは、画像形成装置１にとって、定着ローラ３０ａを加熱するのに大容量の電力を消費する大容量負荷であり、特に、画像形成装置１の起動時や、少なくとも定着部３０の起動時には、大容量の電力を必要とする。
【００４９】
制御部１０３は、画像形成装置１の全体の制御及び本発明の電源制御方法を実行するものであり、ＣＰＵ（Central Processing Unit ）１４１を備えているとともに、図示しないＲＯＭ（Read Only Memory）、ＲＡＭ（Random Access Memory）、ＮＶＲＡＭ（Non Volatile ＲＡＭ）等を備えている。ＲＯＭは、画像形成装置１としての基本プログラム、本発明の電源制御プログラム等のプログラム及び必要なシステムデータ等を記憶している。ＣＰＵ１４１は、ＲＯＭ内のプログラムに基いて、ＲＡＭをワークメモリとして利用しつつ、画像形成装置１の各部を制御して、画像形成装置１としての基本処理を実行するとともに、本発明の電源制御方法を実行する。なお、ＮＶＲＡＭは、画像形成装置１の電源がＯＦＦの場合にも記憶しておくべきデータ、例えば、本実施例の電源制御処理で使用する閾値電圧（設定電圧）等の各種データを記憶する。この閾値電圧は、検出電圧Ｖｇと比較して、定着ヒータ３０ｃへの定着電力Ｐｈの供給／供給遮断、通電制御を決定する際の基準の電圧である。閾値電圧は、初期閾値電圧が予め設定されてＮＶＲＡＭに格納されているが、ユーザが適宜設定変更してもよい。
【００５０】
ＣＰＵ１４１は、ヒータ制御モジュール１４２を備えており、ヒータ制御モジュール１４２は、起動時における大容量負荷での電力消費によってブレーカが落ちることを確実に防止する電源制御処理を実行する。すなわち、ヒータ制御モジュール１４２は、ＲＯＭ内の上記電源制御プログラムに基いて、ＤＣ電源部１１３から入力される検出電圧Ｖｇに応じて、ヒータ制御信号Ｓｈの信号値を制御して、大容量負荷としての定着ヒータ３０ｃへの通電を制御する。
【００５１】
そして、電源部１０２及び制御部１０３は、全体として、大容量負荷としての定着ヒータ３０ｃへの通電を制御して、大容量負荷における電力消費による外部電源電力の電圧変動を設定範囲内に確実に抑制して、ブレーカが落ちることを確実に防止する電源制御部（電源制御装置）１０５として機能している。
【００５２】
すなわち、画像形成装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の電源制御方法を実行する電源制御プログラムを読み込んで、制御部１０３のＲＯＭ等に導入することで、後述する大容量負荷における電力消費による外部電源電力の電圧変動を設定範囲内に確実に抑制する電源制御方法を実行する電源制御部１０５を搭載する画像形成装置１として構築されている。この電源制御プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００５３】
特に、ＣＰＵ１４１は、画像形成装置１において実行する各処理のうち、特に、電源制御処理をヒータ制御モジュール１４２に実行させる。すなわち、ヒータ制御モジュール１４２は、電源部１０２のインシュレータ１１５から検出電圧Ｖｇが入力される。ヒータ制御モジュール１４２は、電源部１０２が内部電源電力の供給を開始すると（なお、以下、この状態を、適宜、起動時という。）、該検出電圧Ｖｇに基づいて、リレー１１６及び通電制御部１１７を制御して、定着ヒータ３０ｃへの内部電源電力である定着電力Ｐｈの供給／供給遮断及び定着電力Ｐｈの電力量の制御（通電制御）を行う。したがって、ヒータ制御モジュール１４２は、定着ヒータ３０ｃへの定着電力Ｐｈを制御する電力制御処理を実行する電力制御手段として機能している。
【００５４】
次に、本実施例の作用を説明する。本実施例の画像形成装置１は、その電源制御部１０５が、大容量負荷における電力消費による外部電源電力の電圧変動を設定範囲内に確実に抑制する。
【００５５】
すなわち、画像形成装置１は、屋外からブレーカを介して外部電源電力Ｐｇが引き込まれた屋内電源配線の張り渡されている屋内に設置され、該屋内電源配線から該外部電源電力Ｐｇを取り込んで、画像形成動作等の画像処理動作を行う。
【００５６】
そして、この屋内電源配線には、画像形成装置１のみではなく、他の電気機器、例えば、他の画像形成装置、コンピュータ等が接続されて、各他の電気機器も、該屋内電源配線から外部電源電力Ｐｇを引き込んで動作する。
【００５７】
画像形成装置１は、その動作に大電力を消費する大容量負荷として、定着部３０の定着ヒータ３０ｃを搭載しており、定着ヒータ３０ｃへの通電状況と外部電源電力Ｐｇの状況によっては、外部電源電力Ｐｇの大幅な電圧変動を生じさせる。その結果、画像形成装置１と同じ屋内電源配線に接続されている他の電気機器の動作に影響を与えたり、ブレーカを落として、停電を発生させてしまう。
【００５８】
特に、画像形成装置１の起動時や定着部３０の起動時には、定着ヒータ３０ｃへの通電電力量が大きくなり、ブレーカを落としたり、他の電気機器への影響が大きくなる。
【００５９】
そこで、画像形成装置１は、定着ヒータ３０ｃの通電制御モードとして、ヒータ通常制御モードとヒータ休止モードを設け、ＣＰＵ１４１のヒータ制御モジュール１４２が、外部電源電力Ｐｇの検出電圧Ｖｇに基づいて、モード制御を行う。
【００６０】
すなわち、画像形成装置１は、図４に示すように、外部電源電力Ｐｇの供給が遮断されている状態から外部電源電力Ｐｇの復帰または定着ヒータ３０ｃへの定着電力Ｐｈの供給開始が発生する（ステップＳ１０１）。ＣＰＵ１４１のヒータ制御モジュール１４２は、電源部１０２からＤＣ電源が供給されると、動作を開始して、電源電圧検出部１１４の検出した検出電圧Ｖｇがインシュレータ１１５を介して入力されると、該検出電圧Ｖｇを取得する（ステップＳ１０２）。
【００６１】
ヒータ制御モジュール１４２は、検出電圧Ｖｇが予め設定されて制御部１０３のＮＶＲＡＭ等に格納されている閾値電圧（設定電圧）以上であるかチェックする（ステップＳ１０３）。この閾値電圧は、初期設定値（例えば、８５V等)がＮＶＲＡＭ等に格納されているが、ユーザ等が画像形成装置１の操作表示部の操作等によって、画像形成装置１の利用性や画像形成装置１の利用環境等に応じて、適宜設定することができる。
【００６２】
ヒータ制御モジュール１４２は、ステップＳ１０３で、検出電圧Ｖｇが閾値電圧以上であると（ステップＳ１０３で、ＹＥＳのとき）、ブレーカを落とさないと判断して、ヒータ通常制御モードへ移行する（ステップＳ１０４）。ヒータ制御モジュール１４２は、ヒータ通常制御モードでは、定着ローラ３０ａの表面温度を検出する温度センサの検出温度に基づいて、ヒータ制御信号Ｓｈによって通電制御部１１７の動作を制御して、定着電力Ｐｈの定着ヒータ３０ｃへの通電量を制御し、定着ローラ３０ａを制御目標温度に温度制御する。
【００６３】
ステップＳ１０３で、検出電圧Ｖｇが閾値電圧未満であると（ステップＳ１０３で、ＮＯのとき）、ヒータ制御モジュール１４２は、ブレーカを落とすおそれがあると判断して、ヒータ休止モードへ移行する（ステップＳ１０５）。ヒータ制御モジュール１４２は、ヒータ休止モードでは、リレー１１６をＯＦＦさせるヒータ制御信号Ｓｈを、インシュレータ１１５を介してリレー１１６へ出力する。リレー１１６は、ＯＦＦのヒータ制御信号Ｓｈが入力されると、ＯＦＦして、定着ヒータ３０ｃへの定着電力Ｐｈの供給を停止する。
【００６４】
ヒータ制御モジュール１４２は、各モードへ移行すると、所定時間間隔、例えば、インシュレータ１１５からＰＷＭで検出電圧Ｖｇが入力される毎に、ステップＳ１０２に戻って、検出電圧Ｖｇを取得する処理から上記同様に処理する（ステップＳ１０２〜Ｓ１０５）。
【００６５】
なお、ヒータ制御モジュール１４２は、通常動作時においては、図４の起動時の制御と同様に、図５に示すようにヒータ通電制御を行う。すなわち、ヒータ制御モジュール１４２は、図５に示すように、通常動作時には、電源電圧検出部１１４の検出した検出電圧Ｖｇがインシュレータ１１５を介して入力されると、該検出電圧Ｖｇを取得する（ステップＳ２０１）。
【００６６】
ヒータ制御モジュール１４２は、検出電圧Ｖｇが閾値電圧以上であるかチェックし（ステップＳ２１０）、検出電圧Ｖｇが閾値電圧以上であると（ステップＳ２０１で、ＹＥＳのとき）、ヒータ通常制御モードへ移行する（ステップＳ２０３）。ヒータ制御モジュール１４２は、ヒータ通常制御モードでは、上記同様に、定着ローラ３０ａを制御目標温度に温度制御する。
【００６７】
ステップＳ２０２で、検出電圧Ｖｇが閾値電圧未満であると（ステップＳ２０２で、ＮＯのとき）、ヒータ制御モジュール１４２は、ヒータ休止モードへ移行する（ステップＳ２０４）。ヒータ制御モジュール１４２は、ヒータ休止モードでは、上記同様に、リレー１１６をＯＦＦさせるヒータ制御信号Ｓｈを、リレー１１６へ出力して、リレー１１６に、定着ヒータ３０ｃへの定着電力Ｐｈの供給を停止させる。
【００６８】
ヒータ制御モジュール１４２は、各モードへ移行すると、所定時間間隔、例えば、インシュレータ１１５からＰＷＭで検出電圧Ｖｇが入力される毎に、上記通常動作時のヒータ通電制御処理を繰り返し実行する（ステップＳ２０１〜Ｓ２０４）。
【００６９】
このように、本実施例の画像形成装置１は、その電源制御部（電源制御装置）１０５が、大容量電力を消費する定着ヒータ（大容量負荷）１０４を有する画像形成装置（装置）１へ、外部から取り込んだ外部電源電力Ｐｇから必要な内部電源電力を生成して供給する電源部（電源手段）１０２と、前記内部電源電力の定着ヒータ３０ｃへの供給を制御する電源供給制御部（電力供給制御手段）１１８と、前記外部電源電力Ｐｇの電圧値Ｖｇを検出する電源電圧検出部（電圧検出手段）１１４と、電源部１０２が前記内部電源電力の供給を開始すると、電源電圧検出部１１４の検出する前記電圧値Ｖｇが所定の閾値電圧（設定電圧）範囲内であるか判定し、該電圧値Ｖｇが該閾値電圧範囲から外れると、電源供給制御部１１８に、定着ヒータ３０ｃへの該内部電源電力である定着電力Ｐｈの供給を遮断または供給電力量を低く制限させる電力制御手段としてのＣＰＵ１４１のヒータ制御モジュール１４２と、を備えている。
【００７０】
したがって、起動時に、外部電源電力Ｐｇの電圧値Ｖｇに基づいて、該大容量負荷である定着ヒータ３０ｃへの定着電力Ｐｈの供給を遮断または低く制限し、定着ヒータ３０ｃにおける電力消費による外部電源電力Ｐｇの電圧変動を設定範囲（ブレーカが落ちない範囲）内に確実に抑制することができる。その結果、起動時における電力消費によってブレーカが落ちることを確実に防止することができる。
【００７１】
また、本実施例の画像形成装置１は、通常動作時においても、外部電源電力Ｐｇの電圧値Ｖｇが閾値電圧以下になると、定着ヒータ３０ｃへの定着電力Ｐｈの供給を遮断または供給電力量を低く制限している。
【００７２】
したがって、通常動作時において、大容量負荷である定着ヒータ３０ｃへの定着電力Ｐｈの供給を遮断または低く制限し、定着ヒータ３０ｃにおける電力消費による外部電源電力Ｐｇの電圧変動を設定範囲（ブレーカが落ちない範囲）内に確実に抑制することができる。その結果、起動時における電力消費によってブレーカが落ちることを確実に防止することができる。
【００７３】
さらに、本実施例の画像形成装置１は、大容量電力を消費する定着ヒータ（大容量負荷）１０４を有する画像形成装置（装置）１へ、外部から取り込んだ外部電源電力Ｐｇから必要な内部電源電力を生成して供給する電源処理ステップと、前記内部電源電力の定着ヒータ３０ｃへの供給を制御する電力供給制御処理ステップと、前記外部電源電力Ｐｇの電圧値Ｖｇを検出する電圧検出処理ステップと、前記電源処理ステップによって前記内部電源電力の供給を開始すると、前記電圧検出処理ステップで検出される前記電圧値Ｖｇが所定の閾値電圧（設定電圧）範囲内であるか判定し、該電圧値Ｖｇが該閾値電圧範囲から外れると、前記電力供給制御処理ステップで、前記定着ヒータ３０ｃへの該内部電源電力Ｐｈの供給を遮断または供給電力量を低く制限させる電力制御処理ステップと、を有する電源制御方法を実行している。
【００７４】
したがって、起動時に、外部電源電力Ｐｇの電圧値Ｖｇに基づいて、該大容量負荷である定着ヒータ３０ｃへの定着電力Ｐｈの供給を遮断または低く制限し、定着ヒータ３０ｃにおける電力消費による外部電源電力Ｐｇの電圧変動を設定範囲（ブレーカが落ちない範囲）内に確実に抑制することができる。その結果、起動時における電力消費によってブレーカが落ちることを確実に防止することができる。
【００７５】
また、本実施例の画像形成装置１は、ＣＰＵ１４１等の制御プロセッサに、大容量電力を消費する定着ヒータ（大容量負荷）１０４を有する画像形成装置（装置）１へ、外部から取り込んだ外部電源電力Ｐｇから必要な内部電源電力を生成して供給する電源処理と、前記内部電源電力の定着ヒータ３０ｃへの供給を制御する電力供給制御処理と、前記外部電源電力Ｐｇの電圧値Ｖｇを検出する電圧検出処理と、前記電源処理によって前記内部電源電力の供給を開始すると、前記電圧検出処理で検出される前記電圧値Ｖｇが所定の閾値電圧（設定電圧）範囲内であるか判定し、該電圧値Ｖｇが該閾値電圧範囲から外れると、前記電力供給制御処理で、前記定着ヒータ３０ｃへの該内部電源電力Ｐｈの供給を遮断または供給電力量を低く制限させる電力制御処理と、を実行させる電源制御プログラムを搭載している。
【００７６】
したがって、起動時に、外部電源電力Ｐｇの電圧値Ｖｇに基づいて、該大容量負荷である定着ヒータ３０ｃへの定着電力Ｐｈの供給を遮断または低く制限し、定着ヒータ３０ｃにおける電力消費による外部電源電力Ｐｇの電圧変動を設定範囲（ブレーカが落ちない範囲）内に確実に抑制することができる。その結果、起動時における電力消費によってブレーカが落ちることを確実に防止することができる。
【００７７】
さらに、本実施例の画像形成装置１は、前記外部電源電力Ｐｇは、交流電源電力であり、電源電圧検出部（電圧検出手段）１１４が、前記交流電源電力Ｐｇの実効電圧値を前記電圧値Ｖｇとして検出する。
【００７８】
したがって、交流電源電力を外部電源電力Ｐｇとして取り込んで画像形成装置１に供給する際に、外部電源電力Ｐｇの電圧値Ｖｇに基づいて、大容量負荷である定着ヒータ３０ｃへの供給を遮断または低く制限している。その結果、定着ヒータ３０ｃにおける電力消費による外部電源電力Ｐｇの電圧変動を設定範囲（ブレーカが落ちない範囲）内に確実に抑制することができ、電力消費によってブレーカが落ちることを確実に防止することができる。
【実施例２】
【００７９】
図６及び図７は、本発明の電源制御装置、画像形成装置、電源制御方法及び電源制御プログラムの第２実施例を示す図であり、図６は、本発明の電源制御装置、画像形成装置、電源制御方法及び電源制御プログラムの第２実施例を適用した画像形成装置２００の回路構成図である。
【００８０】
なお、本実施例は、第１実施例の画像形成装置１と同様の構成の画像形成装置に適用したものであり、本実施例の説明においては、第１実施例の画像形成装置１と同様の構成部分には、同一の符号を付与して、その説明を省略または簡略化する。
【００８１】
本実施例の画像形成装置２００は、前回の電源ＯＦＦがの電源遮断要因が、通常電源遮断要因であるか、異常電源遮断要因であるか、すなわち、正常終了したか、異常終了したかを記憶して、異常終了したときにのみ、起動時に外部電源電力Ｐｇの検出電圧Ｖｇに基づく定着電力Ｐｈの供給／供給遮断、通電制御を行う。
【００８２】
図６に示すように、画像形成装置２００は、第１実施例の画像形成装置１と同様のロッカースイッチ１０１、電源部１０２、定着ヒータ３０ｃ等を備えているとともに、制御部２０１、ソフトスイッチ２０２等を備えている。
【００８３】
制御部２０１は、ヒータ制御モジュール１４２を備えたＣＰＵ１４１、図示しないＲＯＭ、ＲＡＭ等を備えているとともに、不揮発性メモリ２０３を備えている。不揮発性メモリ（遮断要因記憶手段）２０３は、ＮＶＲＡＭが用いられており、ＣＰＵ１４１の制御下で、前回の電源ＯＦＦが正常終了したか、異常終了したかを記憶する。
【００８４】
電源部１０２及び制御部２０１は、全体として、大容量負荷としての定着ヒータ３０ｃへの通電を制御して、起動時における電力消費によってブレーカが落ちることを確実に防止する電源制御部（電源制御装置）２０４として機能している。
【００８５】
ソフトスイッチ２０２は、ＣＰＵ１４１に電源のＯＮ／ＯＦＦを指示するスイッチである。ＣＰＵ１４１は、ソフトスイッチ機能を備えており、ソフトスイッチ２０２の操作に応じて、画像形成装置２００の電源のＯＮ／ＯＦＦをソフトウェア機能として実行する。
【００８６】
そして、ＣＰＵ（遮断要因検出手段）１４１は、通常電源遮断要因であるソフトスイッチ２０２による正常終了で画像形成装置２００の電源をＯＦＦしたのか、異常電源遮断要因である停電やブレーカーが落ちたこと等による異常終了で画像形成装置の電源がＯＦＦしたのかを判別する。ＣＰＵ１４１は、電源ＯＦＦの判別結果をシャットダウンフラグとして不揮発性メモリ２０３に登録する。
【００８７】
また、画像形成装置２００は、前回のシャットダウンが異常終了であった場合、次に、インレット１０４を介して外部電源電力Ｐｇの供給が再開されたときに、ソフトスイッチ２０２が操作されなくても、自動で起動する自動復帰機能を有している。
【００８８】
ヒータ制御モジュール１４２は、起動時のヒータ通電制御処理において、前回の電源ＯＦＦが異常終了したときにのみ、図７に示すように、外部電源電力Ｐｇの検出電圧Ｖｇに基づく定着電力Ｐｈの供給／供給遮断を制御する。なお、図７において、図４と同様の処理ステップには、同一のステップナンバーを付与して、その説明を簡略化する。
【００８９】
すなわち、画像形成装置２００は、図７に示すように、外部電源電力Ｐｇの供給が遮断されている状態から外部電源電力Ｐｇの復帰または定着ヒータ３０ｃへの定着電力Ｐｈの供給開始が発生する（ステップＳ１０１）。ＣＰＵ１４１のヒータ制御モジュール１４２は、電源部１０２からＤＣ電源が供給されると、動作を開始して、不揮発性メモリ２０３に格納されているシャットダウンフラグを読み出す。ヒータ制御モジュール１４２は、該シャットダウンフラグが正常終了のフラグであるか、すなわち、前回起動時正常終了したかチェックする（ステップＳ３０１）。
【００９０】
ステップＳ３０１で、正常終了であると（ステップＳ３０１で、ＹＥＳのとき）、ヒータ制御モジュール１４２は、検出電圧Ｖｇを調べることなく、そのまま、ヒータ通常制御モードへ移行する（ステップＳ１０４）。
【００９１】
ステップＳ３０１で、異常終了であると（ステップＳ３０１で、ＮＯのとき）、ヒータ制御モジュール１４２は、電源電圧検出部１１４の検出した検出電圧Ｖｇがインシュレータ１１５を介して入力されると、該検出電圧Ｖｇを取得する（ステップＳ１０２）。
【００９２】
ヒータ制御モジュール１４２は、検出電圧Ｖｇが予め設定されて制御部１０３のＮＶＲＡＭ等に格納されている閾値電圧以上であるかチェックする（ステップＳ１０３）。
【００９３】
ヒータ制御モジュール１４２は、ステップＳ１０３で、検出電圧Ｖｇが閾値電圧以上であると、ヒータ通常制御モードへ移行する（ステップＳ１０４）。
【００９４】
ステップＳ１０３で、検出電圧Ｖｇが閾値電圧未満であると、ヒータ制御モジュール１４２は、ヒータ休止モードへ移行する（ステップＳ１０５）。
【００９５】
ヒータ制御モジュール１４２は、それぞれのモードへ移行すると、ステップＳ１０２に戻って、外部電源電力Ｐｇの電圧値を検出して検出電圧Ｖｇを取得する処理から上記同様に処理する（ステップＳ１０２〜Ｓ１０５）。
【００９６】
このように、本実施例の画像形成装置２００は、その電源制御部２０４が、電源部１０２による前記内部電源電力の供給状態から供給遮断状態となった電源遮断要因が通常の電源遮断要因であるか、異常電源遮断要因であるかを検出するＣＰＵ（遮断要因検出手段）１４１と、前記遮断要因検出手段としてのＣＰＵ１４１が前回の電源供給遮断時に検出した前記電源遮断要因を記憶する不揮発性メモリ（遮断要因記憶手段）２０３と、を、さらに備え、前記電力制御手段としてのＣＰＵ１４１のヒータ制御モジュール１４２が、不揮発性メモリ２０３の記憶する前回の前記電源遮断要因が前記異常電源遮断要因であるときにのみ、前記電源電圧検出部１１４の検出する前記電圧値Ｖｇに基づく前記内部電源電力Ｐｈの供給遮断または供給電力量の制限を実施する。
【００９７】
したがって、起動時に、ブレーカを落とす可能性の高い異常電源遮断要因（ブレーカ落ちや停電等）で内部電源電力の供給遮断が発生したときに、電源電圧検出部１１４の検出する前記電圧値Ｖｇに基づく前記内部電源電力Ｐｈの供給遮断または供給電力量の制限を実施する。その結果、定着ヒータ３０ｃにおける電力消費による外部電源電力Ｐｇの電圧変動を設定範囲（ブレーカが落ちない範囲）内に効率的にかつ確実に抑制することができ、起動時における電力消費によってブレーカが落ちることを効率的にかつ確実に防止することができる。
【実施例３】
【００９８】
図８及び図９は、本発明の電源制御装置、画像形成装置、電源制御方法及び電源制御プログラムの第３実施例を示す図であり、図８は、本発明の電源制御装置、画像形成装置、電源制御方法及び電源制御プログラムの第３実施例を適用した画像形成装置２１０の回路構成図である。
【００９９】
なお、本実施例は、第１実施例の画像形成装置１と同様の構成の画像形成装置に適用したものであり、本実施例の説明においては、第１実施例の画像形成装置１と同様の構成部分には、同一の符号を付与して、その説明を省略または簡略化する。
【０１００】
本実施例の画像形成装置２１０は、起動時に外部電源電力Ｐｇの検出電圧Ｖｇに基づく定着電力Ｐｈの供給／供給遮断、電力制限を行うヒータ通電制御を、待ち時間だけ待った後に実行する。
【０１０１】
図８に示すように、画像形成装置２１０は、第１実施例の画像形成装置１と同様のロッカースイッチ１０１、電源部１０２、定着ヒータ３０ｃ等を備えているとともに、制御部２１１、操作表示部２１２等を備えている。
【０１０２】
制御部２１１は、ヒータ制御モジュール１４２を備えたＣＰＵ１４１、図示しないＲＯＭ、ＲＡＭ等を備えているとともに、不揮発性メモリ２１３を備えている。不揮発性メモリ（待ち時間記憶手段）２１３は、ＮＶＲＡＭが用いられており、ＣＰＵ１４１の制御下で、ヒータ通電制御開始の待ち時間を記憶する。この待ち時間は、起動から外部電源電力Ｐｇの検出電圧Ｖｇに基づく定着電力Ｐｈの供給／供給遮断、電力制限を行うヒータ通電制御を開始するまでの待ち時間である。待ち時間は、初期の待ち時間が予め不揮発性メモリ２１３に格納されているが、操作表示部２１２の操作によって、適宜設定された待ち時間が、ＣＰＵ１４１の制御下で格納される。
【０１０３】
電源部１０２及び制御部２１１は、全体として、大容量負荷としての定着ヒータ３０ｃへの通電を制御して、起動時における電力消費によってブレーカが落ちることを確実に防止する電源制御部（電源制御装置）２１４として機能している。
【０１０４】
操作表示部（設定手段）２１２は、画像形成装置２１０の備えている通常の操作表示部であり、各種キー及びディスプレイ等を備えている。操作表示部２１２は、上述のように、待ち時間の設定に使用され、ユーザ等によって画像形成装置２１０の利用環境等に応じて、待ち時間が適宜設定される。例えば、ユーザ等は、画像形成装置２１０が接続されている屋内電源配線に接続されている他の電気機器の数、使用電力量等を考慮して、待ち時間を設定操作する。
【０１０５】
そして、ＣＰＵ１４１は、操作表示部２１２で設定操作された待ち時間を不揮発性メモリ２１３へ登録する。
【０１０６】
ＣＰＵ１４１は、図示しないが、タイマ（計時手段）を備えており、タイマによって待ち時間を計時させる。
【０１０７】
ヒータ制御モジュール１４２は、起動時のヒータ通電制御処理において、図９に示すように、不揮発性メモリ２１３に登録されている待ち時間を待った後、外部電源電力Ｐｇの検出電圧Ｖｇに基づく定着電力Ｐｈの供給／供給遮断、電源制限を行うヒータ通電制御処理を開始する。なお、図９において、図４と同様の処理ステップには、同一のステップナンバーを付与して、その説明を簡略化する。
【０１０８】
すなわち、画像形成装置２１０は、図９に示すように、外部電源電力Ｐｇの供給が遮断されている状態から外部電源電力Ｐｇの復帰または定着ヒータ３０ｃへの定着電力Ｐｈの供給開始が発生する（ステップＳ１０１）。ＣＰＵ１４１のヒータ制御モジュール１４２は、電源部１０２からＤＣ電源が供給されると、不揮発性メモリ２１３の待ち時間を読み取り、タイマに該待ち時間の計時を開始させる。ヒータ制御モジュール１４２は、タイマが待ち時間を計時するまで待つ（ステップＳ４０１）。ヒータ制御モジュール１４２は、タイマが待ち時間を計時すると、電源電圧検出部１１４の検出した検出電圧Ｖｇがインシュレータ１１５を介して入力されると、該検出電圧Ｖｇを取得する（ステップＳ１０２）。
【０１０９】
ヒータ制御モジュール１４２は、検出電圧Ｖｇが予め設定されて制御部１０３のＮＶＲＡＭ等に格納されている閾値電圧以上であるかチェックする（ステップＳ１０３）。
【０１１０】
ヒータ制御モジュール１４２は、ステップＳ１０３で、検出電圧Ｖｇが閾値電圧以上であると、ヒータ通常制御モードへ移行する（ステップＳ１０４）。
【０１１１】
ステップＳ１０３で、検出電圧Ｖｇが閾値電圧未満であると、ヒータ制御モジュール１４２は、ヒータ休止モードへ移行する（ステップＳ１０５）。
【０１１２】
ヒータ制御モジュール１４２は、それぞれのモードへ移行すると、ステップＳ１０２に戻って、外部電源電力Ｐｇの電圧値を検出して検出電圧Ｖｇを取得する処理から上記同様に処理する（ステップＳ１０２〜Ｓ１０５）。
【０１１３】
このように、本実施例の画像形成装置２１０は、その電源制御部２１４が、待ち時間を記憶する不揮発性メモリ（待ち時間記憶手段）２１３と、前記待ち時間を計時するタイマ（計時手段）と、を、さらに備え、前記電力制御手段としてのＣＰＵ１４１のヒータ制御モジュール１４２が、前記電源部（電源手段）１０２が前記内部電源電力の供給を開始すると、前記タイマに前記待ち時間を計時させて、該タイマが該待ち時間を計時すると、前記電源電圧検出部１１４の検出する前記電圧値Ｖｇに基づく前記内部電源電力である定着電力Ｐｈの供給遮断または供給電力量の制限を開始する。
【０１１４】
したがって、屋内電源配線に複数の電気機器とともに画像形成装置１が接続されている場合に、他の電気機器との間で、大容量負荷である定着ヒータ３０ｃへの電源供給タイミングを調整しつつ、定着電力Ｐｈの供給遮断または供給電力量の制限を行うことができる。その結果、起動時における複数の電気機器との間で電力消費によってブレーカが落ちることを確実に防止することができる。
【０１１５】
また、本実施例の画像形成装置２１０は、前記不揮発性メモリ２１３の記憶する前記待ち時間を設定する操作表示部（設定手段）２１２を、さらに備えている。
【０１１６】
したがって、画像形成装置２１０が接続されている屋内電源配線への他の電気器の接続状態等の環境状況に応じて待ち時間を設定することができる。その結果、起動時における複数の電気機器との間で電力消費によってブレーカが落ちることを効率的に、かつ、確実に防止することができる。
【０１１７】
なお、上記各実施例において、画像形成装置１、２００、２１０は、ヒータ通常制御モードよりも少ない電力を定着ヒータ３０ｃへ供給して、定着ローラ３０ａを加熱するヒータ省電力給電モードを備えていてもよい。
【０１１８】
この場合、ヒータ制御モジュール１４２は、図１０に示すように、検出電圧Ｖｇに基づいて、ヒータ通常制御モードよりも少ない電力（例えば、ヒータ通常制御モードの５０％の電力）を定着ヒータ３０ｃへ供給して、定着ローラ３０ａの加熱を行う。なお、図１０において、図４と同様の処理ステップには、同一のステップナンバーを付与して、その説明を簡略化する。また、図１０は、図４におけるヒータ通電制御処理に適用した場合が示されているが、第２実施例、第３実施例に対しても同様に適用することができる。
【０１１９】
すなわち、画像形成装置１は、図１０に示すように、外部電源電力Ｐｇの供給が遮断されている状態から外部電源電力Ｐｇの復帰または定着部３０への定着電力Ｐｈの供給開始が発生する（ステップＳ１０１）。ＣＰＵ１４１のヒータ制御モジュール１４２は、電源部１０２からＤＣ電源が供給されると、電源電圧検出部１１４の検出した検出電圧Ｖｇがインシュレータ１１５を介して入力されると、該検出電圧Ｖｇを取得する（ステップＳ１０２）。
【０１２０】
ヒータ制御モジュール１４２は、検出電圧Ｖｇが予め設定されて制御部１０３のＮＶＲＡＭ等に格納されている第２閾値電圧以上であるかチェックする（ステップＳ５０１）。この第２閾値電圧は、予めＮＶＲＡＭ等に格納されており、通常制御モードへ移行して、定着ヒータ３０ｃへの通電制御を行ってもよい閾値電圧として、例えば、９５Ｖが設定されている。なお、第２閾値電圧は、ユーザ等が適宜設定変更してもよい。
【０１２１】
ステップＳ５０１で、検出電圧Ｖｇが第２閾値電圧以上であると（ステップＳ５０１で、ＹＥＳのとき）、ヒータ制御モジュール１４２は、ヒータ通常制御モードへ移行する（ステップＳ１０４）。
【０１２２】
ステップＳ５０１で、検出電圧Ｖｇが、第２閾値電圧未満であると（ステップＳ５０１で、ＮＯのとき）、ヒータ制御モジュール１４２は、検出電圧Ｖｇが閾値電圧（例えば、上記８５Ｖ）以上であるかチェックする（ステップＳ１０３）。
【０１２３】
ステップＳ１０３で、検出電圧Ｖｇが閾値電圧以上であると、ヒータ制御モジュール１４２は、ヒータ省電力給電モードへ移行する（ステップＳ５０２）。ヒータ制御モジュール１４２は、ヒータ省電力給電モードでは、通電制御部１１７によって定着電力Ｐｈをデューティ制御することで、定着電力Ｐｈを通常の５０％の電力に制限して、定着ヒータ３０ｃに供給する。
【０１２４】
ステップＳ１０３で、検出電圧Ｖｇが閾値電圧未満であると、ヒータ制御モジュール１４２は、ヒータ休止モードへ移行する（ステップＳ１０５）。
【０１２５】
ヒータ制御モジュール１４２は、それぞれのモードへ移行すると、ステップＳ１０２に戻って、外部電源電力Ｐｇの電圧値を検出して検出電圧Ｖｇを取得する処理から上記同様に処理する（ステップＳ１０２〜Ｓ１０５、Ｓ５０１、Ｓ５０２）。
【０１２６】
このようにすると、画像形成装置１、２００、２１０の利用性を向上させつつ、起動時における電力消費によってブレーカが落ちることを確実に防止することができる。
【０１２７】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１２８】
１  画像形成装置
２  本体筐体
３  排紙トレイ
１０  給紙部
１１  給紙トレイ
１２  給紙ローラ
２０  搬送部
２１  順方向搬送路
２２  両面搬送路
２３  レジストローラ
２４  ２次転写ローラ
２５  排紙ローラ
２６  両面ローラ
２７  レジストセンサ
２８  排紙センサ
２９  両面センサ
３０  定着部
３０ａ  定着ローラ
３０ｂ  加圧ローラ
３０ｃ  定着ヒータ
４０  プリンタ部
４１  中間転写ユニット
４２Ｃ〜４２Ｋ  プロセスカートリッジ
４３  露光部
４４  キャリブレーション用センサ
４５  排トナーボックス
５１  中間転写ベルト
５２  ２次転写駆動ローラ
５３  テンションローラ
５４Ｙ、５４Ｍ、５４Ｃ、５４Ｋ  転写ローラ
６１Ｙ、６１Ｍ、６１Ｃ、６１Ｋ  感光体
６２Ｙ、６２Ｍ、６２Ｃ、６２Ｋ  帯電ローラ
６３Ｙ、６３Ｍ、６３Ｃ、６３Ｋ  現像／トナー収納部
６４Ｙ、６４Ｍ、６４Ｃ、６４Ｋ  クリーニング部
１０１  ロッカースイッチ
１０２  電源部
１０３  制御部
１０４  インレット
１０５  電源制御部
１１１  フューズ
１１２  ノイズフィルタ
１１３  ＤＣ電源部
１１４  電源電圧検出部
１１５  インシュレータ
１１６  リレー
１１７  通電制御部
１１８  電力供給制御部
１２１  ダイオードブリッジ
１２２  コンデンサ
１２３  ＦＥＴ
１２４  ＩＣ
１２５  トランス
１３１  分圧抵抗
Ｒ１、Ｒ２  分圧抵抗
１３２  ＰＬＣ
１３２ａ  ＡＤＣ
１３２ｂ  実効値演算部
１４１  ＣＰＵ
１４２  ヒータ制御モジュール
２００  画像形成装置
２０１  制御部
２０２  ソフトスイッチ
２０３  不揮発性メモリ
２０４  電源制御部
２１０  画像形成装置
２１１  制御部
２１２  操作表示部
２１３  不揮発性メモリ
２１４  電源制御部
Ｐ  用紙
Ｐｇ  外部電源電力
Ｐｈ  定着電力
Ｓｈ  ヒータ制御信号
Ｖｇ  検出電圧
【先行技術文献】
【特許文献】
【０１２９】
【特許文献１】特開２０１０−０４９０８７号公報
【図１】
2015132922.tif 000003
【図２】
2015132922.tif 000004
【図３】
2015132922.tif 000005
【図４】
2015132922.tif 000006
【図５】
2015132922.tif 000007
【図６】
2015132922.tif 000008
【図７】
2015132922.tif 000009
【図８】
2015132922.tif 000010
【図９】
2015132922.tif 000011
【図１０】
2015132922.tif 000012